(57)【要約】【課題】省エネルギー化しつつ、液体と流体とを良く混ぜることができる混合装置を提供する。【解決手段】液体に流体を混合するための混合装置１Ａであって、貯留室１０を有する処理槽２Ａを備え、処理槽２Ａには、注入路１５と排出路１６とが設けられている。注入路１５には、貯留室１０側の端部に形成された吐出路１５ｄと、吐出路１５ｄに連通する主流路１５ｅと、が形成されている。吐出路１５ｄの軸断面積は、主流路１５ｅの軸断面積よりも小さく形成されている。【選択図】図２
2019107583.tif 000002
【特許請求の範囲】
【請求項１】
液体に流体を混合するための混合装置であって、
前記液体および前記流体の混合体が貯留される貯留室を有する処理槽を備え、
前記処理槽には、
前記液体および前記流体を前記貯留室内に注入するための注入路と、
前記混合体を前記貯留室内から排出するための排出路と、が設けられ、
前記注入路には、
前記貯留室側の端部に形成された吐出路と、
前記吐出路に連通する主流路と、が形成されており、
前記吐出路の軸断面積は、前記主流路の軸断面積よりも小さく形成されていることを特徴とする混合装置。
【請求項２】
請求項１に記載の混合装置であって、
前記主流路の内周面には、前記主流路に前記液体を供給するための液体供給口が開口するとともに、
前記主流路には、先端部から前記流体を注入する流体供給管が挿入されており、
前記流体供給管の先端部は、前記吐出路と前記液体供給口との間に配置されていることを特徴とする混合装置。
【請求項３】
請求項１または請求項２に記載の混合装置であって、
前記注入路の注入口は、前記貯留室の第一内面に開口しており、
前記排出路の排出口は、前記貯留室の内面において、前記第一内面に対峙する第二内面以外の面に開口していることを特徴とする混合装置。
【発明の詳細な説明】
【技術分野】
【０００１】
本発明は、液体に流体を混合するための混合装置に関する。
【背景技術】
【０００２】
近年、化学工業や生物工業等の分野では、液体中にファインバブルと呼ばれる直径１００μｍ以下の気泡を生成させている場合がある。微細化された気泡は、水面に浮上して破裂することなく、水中に長期間に亘って残存する。そして、気泡が液体に効率良く混合、拡散、溶解されることで、様々な機能を液体に付加することができる。
従来、例えば、汚水処理において、活性汚泥による生物処理を行う場合には、有機物を分解する活性汚泥（微生物）に酸素を供給するために、曝気槽で被処理水（汚水）に酸素を混合している。
【０００３】
そして、各種の水処理において、被処理水に気体を混合するための混合装置を槽内に設けているものがある。このような混合装置としては、貯留室の内面に注入路が開口し、その内面に対峙する他の内面に排出路が開口しているものがある（例えば、特許文献１参照）。
【０００４】
このような混合装置では、被処理水と気体とを注入路から貯留室内に注入し、貯留室で被処理水と気体とを混合した後に、貯留室内の処理水（混合体）を排出路から例えば曝気槽内に排出している。
注入路から貯留室内に被処理水および気体を注入すると、キャビテーション効果により、気体が微細気泡化する。このように、被処理水中の気体を微細気泡化することで、被処理水から大気中に気散する気体の量を少なくすることができる。
【先行技術文献】
【特許文献】
【０００５】
【特許文献１】特開２０００−０００５６３号公報
【発明の概要】
【発明が解決しようとする課題】
【０００６】
前記した従来の混合装置では、注入路から貯留室内に被処理水および気体を注入すると、被処理水および気体が貯留室内で渦流する。このとき、貯留室内で被処理水および気体を十分に渦流して、被処理水と気体とを接触させることで、処理水の酸素濃度を高めることが好ましい。
【０００７】
被処理水などの液体に酸素などの流体を良く混ぜるためには、貯留室内で液体および流体を大きく渦流させて、液体および流体の挙動を大きく乱すことが好ましい。
しかしながら、従来の混合装置において、貯留室内の液体および流体を大きく渦流させるためには、吐出量の大きなポンプを用いる必要があるため、消費エネルギーが大きくなるという問題がある。
【０００８】
本発明は、前記した問題を解決し、省エネルギー化しつつ、液体と流体とを良く混ぜることができる混合装置を提供することを課題とする。
【課題を解決するための手段】
【０００９】
前記課題を解決するため、本発明は、液体に流体を混合するための混合装置であって、前記液体および前記流体の混合体が貯留される貯留室を有する処理槽を備えている。前記処理槽には、前記液体および前記流体を前記貯留室内に注入するための注入路と、前記混合体を前記貯留室内から排出するための排出路と、が設けられている。前記注入路には、前記貯留室側の端部に形成された吐出路と、前記吐出路に連通する主流路と、が形成されている。前記吐出路の軸断面積は、前記主流路の軸断面積よりも小さく形成されている。
【００１０】
本発明の混合装置では、主流路よりも吐出路が絞られており、液体および流体（気体または液体）が吐出路を通過するときに、液体および流体の流速が速くなる。これにより、本発明の混合装置では、注入路に供給する液体および流体の流量を抑えても、吐出路から貯留室内に注入される液体および流体の流速を速くすることができる。そして、本発明の混合装置では、貯留室内の液体および流体の挙動を大きく乱すことができるため、液体と流体とを良く混ぜることができる。
なお、液体および流体の流速を確実に速くするためには、吐出路の軸断面積は、主流路の軸断面積の１０％から５０％の間であることが好ましく、主流路の軸断面積の２０％から４０％の間であることがより好ましい。
【００１１】
前記した混合装置において、前記主流路の内周面には、前記主流路に前記液体を供給するための液体供給口が開口している。また、前記主流路には、先端部から前記流体を注入する流体供給管が挿入されている。前記流体供給管の先端部は、前記吐出路と前記液体供給口との間に配置されている。
【００１２】
この構成では、流体供給管によって吐出路内の空間が減少するのを防ぐことができるため、貯留室内を液体および流体で満たすために十分な流量の液体および流体を吐出路から貯留室内に注入することができる。
また、流体供給管の先端部は、液体供給口よりも下流側に配置されるため、流体供給管の先端部から注入された流体が液体供給口からの液体の流れに妨げられるのを防ぐことができる。
したがって、前記した混合装置では、貯留室内を液体および流体で確実に満たして渦流を生じさせるとともに、貯留室内に流体を安定して注入することができるため、液体と流体とを良く混ぜることができる。
【００１３】
前記した混合装置では、前記注入路の注入口を前記貯留室の第一内面に開口させ、前記排出路の排出口は、前記貯留室の内面において、前記第一内面に対峙する第二内面以外の面に開口させることが好ましい。
この構成では、第一内面の注入口から貯留室内に注入した液体および流体は、第二内面に当接して流れが大きく変化する。そして、液体および流体は、貯留室内で大きく渦流した後に、第二内面以外の面に配置された排出口から排出される。
【００１４】
このように、本発明の混合装置では、注入口および排出口が対峙しない二面に開口している。言い換えると、注入口が開口する第一内面に対峙する第二内面以外の内面に排出口が開口しているため、貯留室に注入された液体および流体が渦流に巻き込まれることなく、排出路から排出され易いという問題を減少させることができる。これにより、液体および流体は、貯留室内で長い経路を渦流に巻き込まれながら流れることになり、液体および流体の挙動を大きく乱すことができるため、液体と流体とを良く混ぜることができる。
【発明の効果】
【００１５】
本発明の混合装置では、省エネルギー化しつつ、液体と流体とを良く混ぜることができるため、液体および流体を効率良く処理することができる。
【図面の簡単な説明】
【００１６】
【図１】本発明の実施形態に係る混合装置を示した斜視図である。
【図２】本発明の実施形態に係る混合装置を示した断面図である。
【発明を実施するための形態】
【００１７】
本発明の実施形態について、適宜図面を参照しながら詳細に説明する。以下に記載する構成要件の説明は、代表的な実施形態や具体例に基づいてなされるものであるが、本発明はそのような実施形態に限定されるものではない。
代表的な本実施形態では、生活排水などの被処理水（汚水）を浄化する汚水処理に用いられる混合装置について説明する。
本実施形態の混合装置は、活性汚泥による生物処理において、有機物を分解する活性汚泥（微生物）に酸素を供給するために、被処理水（特許請求の範囲における「液体」）に酸素（特許請求の範囲における「流体」）を混合するものである。
【００１８】
本実施形態の混合装置１Ａは、図１に示すように、貯留室１０を有する処理槽２Ａと、処理槽２Ａに設けられた注入路１５および排出路１６と、を備えている。
混合装置１Ａでは、注入路１５から貯留室１０に被処理水および酸素を注入し、貯留室１０内で被処理水に酸素を混合した後に、被処理水および酸素を混合した処理水（特許請求の範囲における「混合体」）を貯留室１０内から排出路１６を通じて曝気槽や調整槽（排水槽）などの外槽（図示せず）に排出する。
【００１９】
処理槽２Ａは、中空な直方体であり、内部に貯留室１０が形成されている。処理槽２Ａは、上下一対の頂板２０および底板３０と、左右一対の左側壁４０および右側壁５０と、前後一対の前壁６０および後壁７０と、を備えている。
【００２０】
頂板２０および底板３０は、水平に配置された長方形の平板である。頂板２０は底板３０の直上に配置されている。頂板２０と底板３０とは同じ形状であり、前後方向よりも左右方向が長く形成されている。
頂板２０は、貯留室１０の頂部を構成するものであり、底板３０は、貯留室１０の底部を構成するものである。つまり、頂板２０の内面２１は、貯留室１０の頂部の内面であり、底板３０の内面３１は、貯留室１０の底部の内面である。頂板２０の内面２１と底板３０の内面３１とは、上下方向に対峙している。
【００２１】
底板３０の左右の縁部には、左側壁４０および右側壁５０がそれぞれ立ち上げられている。左側壁４０および右側壁５０は、底板３０に対して上方に向けて垂直に延びている。左側壁４０と右側壁５０とは同じ形状であり、前後方向よりも上下方向が長く形成されている。
【００２２】
底板３０の前後の縁部には、前壁６０および後壁７０がそれぞれ立ち上げられている。前壁６０および後壁７０は、底板３０に対して上方に向けて垂直に延びている。前壁６０と後壁７０とは同じ形状であり、左右方向よりも上下方向が長く形成されている。
【００２３】
左側壁４０、右側壁５０、前壁６０および後壁７０によって角筒状の胴部８０が形成されている。胴部８０の下面は底板３０によって塞がれており、胴部８０の上面は頂板２０によって塞がれている。
【００２４】
貯留室１０は、胴部８０によって外周が囲まれるとともに、頂板２０および底板３０によって上面および下面が塞がれた直方体の空間である。
貯留室１０の内面には、上下一対の内面２１，３１と、左右一対の内面４１，５１と、前後一対の内面６１，７１とが形成されている。
【００２５】
左側壁４０の内面４１（特許請求の範囲における「第一内面」）と、右側壁５０の内面５１（特許請求の範囲における「第二内面」）とは、貯留室１０の側部の内面であり、底板３０の内面３１に対して立ち上げられている。左側壁４０の内面４１と、右側壁５０の内面５１とは、左右方向に対峙している。
前壁６０の内面６１と、後壁７０の内面７１とは、貯留室１０の側部の内面であり、底板３０の内面３１に対して立ち上げられている。前壁６０の内面６１と、後壁７０の内面７１とは、前後方向に対峙している。
【００２６】
左右に対峙する一対の内面４１，５１と、前後に対峙する一対の内面６１，７１とは角筒状に配置されている。
本実施形態の混合装置１Ａでは、左側壁４０の内面４１と右側壁５０の内面５１との間の距離は、前壁６０の内面６１と後壁７０の内面７１との間の距離よりも長く形成されている。
このように、本実施形態の貯留室１０では、左右方向の幅が前後方向の幅（奥行き）よりも大きく形成されている。これにより、貯留室１０内の空間は、左右方向に幅広で前後方向に狭い扁平な直方体に形成されている。
【００２７】
本実施形態の処理槽２Ａには、図２に示すように、被処理水および酸素を貯留室１０内に注入するための注入路１５と、被処理水および酸素の混合体を貯留室１０内から排出するための排出路１６と、が設けられている。
【００２８】
注入路１５は、左側壁４０の内面４１に開口した注入口１５ａと、注入口１５ａに連通する注入穴１５ｂと、左側壁４０の外面に設けられた注入管１５ｃと、によって構成されている。
【００２９】
注入口１５ａは、左側壁４０の内面４１に開口している。注入口１５ａは、円形の開口部である（図１参照）。注入口１５ａは、左側壁４０の内面４１の下部に配置されている。また、注入口１５ａは、左側壁４０の内面４１の前後方向の中央部に配置されている（図１参照）。
注入穴１５ｂは、注入口１５ａに連通する円形の穴であり、左側壁４０を左右方向に貫通している。注入穴１５ｂの軸断面積は、注入口１５ａの開口面積と同じである。
【００３０】
注入管１５ｃの先端部は、左側壁４０の外面に取り付けられており、注入管１５ｃは注入穴１５ｂに連通している。注入管１５ｃの軸断面積は、注入穴１５ｂの軸断面積と同じである。
【００３１】
注入管１５ｃには、後記する液体供給管１７を介して液体供給装置（図示せず）が連結されるとともに、後記する流体供給管１８が挿入されている。液体供給装置から注入管１５ｃに被処理水が供給されるとともに、流体供給管１８から高濃度の酸素が注入管１５ｃに供給される。そして、被処理水および酸素は、注入管１５ｃから注入穴１５ｂを通じて、注入口１５ａから貯留室１０内に注入される。
【００３２】
本実施形態の注入路１５には、貯留室１０側（注入口１５ａ側）の端部に形成された吐出路１５ｄと、吐出路１５ｄに連通する主流路１５ｅと、主流路１５ｅの内周面に開口した液体供給口１５ｆと、が形成されている。
【００３３】
吐出路１５ｄは、注入路１５の貯留室１０側の端部に内管１９を嵌め込むことで形成されている。内管１９は、円筒状の部材である。内管１９は、注入口１５ａ、注入穴１５ｂおよび注入管１５ｃの端部に嵌め込まれている。内管１９の外周面は、注入路１５の内周面に固定されている。
【００３４】
内管１９の中心穴１９ａの内径は、注入口１５ａ、注入穴１５ｂおよび注入管１５ｃの内径よりも小さく形成されている。つまり、内管１９の中心穴１９ａの軸断面積は、注入口１５ａ、注入穴１５ｂおよび注入管１５ｃ内の軸断面積よりも小さく形成されている。
【００３５】
内管１９の中心穴１９ａによって吐出路１５ｄが形成されている。つまり、吐出路１５ｄの軸断面積は、注入口１５ａ、注入穴１５ｂおよび注入管１５ｃ内の軸断面積よりも小さく形成されている。
【００３６】
主流路１５ｅは、注入路１５において吐出路１５ｄよりも基端側（上流側）の部位である。主流路１５ｅは、注入管１５ｃによって形成されている。
【００３７】
本実施形態の注入路１５では、先端部の吐出路１５ｄの軸断面積が、主流路１５ｅの軸断面積よりも小さく絞られている。
吐出路１５ｄの軸断面積は、主流路１５ｅの軸断面積の１０％から５０％の間であることが好ましく、主流路１５ｅの軸断面積の２０％から４０％の間であることがより好ましい。
【００３８】
液体供給口１５ｆは、主流路１５ｅの内周面に形成された円形の開口部である。液体供給口１５ｆは、主流路１５ｅに被処理水を供給するための開口部である。
注入管１５ｃの外周面には、液体供給管１７の先端部が取り付けられている。液体供給管１７は、液体供給口１５ｆに連通している。液体供給管１７の内径は、主流路１５ｅの内径と同じ大きさに形成されている。つまり、液体供給管１７内の軸断面積と、主流路１５ｅの軸断面積とが同じ大きさに形成されている。
液体供給管１７の基端部には、液体供給装置（図示せず）が連結されている。そして、液体供給装置から液体供給管１７を介して主流路１５ｅに被処理水が供給される。
【００３９】
主流路１５ｅには、酸素を注入する流体供給管１８が挿入されている。流体供給管１８は、主流路１５ｅの基端側から挿入されている。流体供給管１８は、円筒状の部材であり、先端部が開口している。
流体供給管１８の基端部は、流体供給装置（図示せず）に連結されている。そして、流体供給装置から流体供給管１８に供給された高濃度の酸素が、流体供給管１８の先端部から主流路１５ｅ内に注入される。
【００４０】
流体供給管１８は、主流路１５ｅの中心部に配置されている。また、流体供給管１８の外径は、主流路１５ｅ（注入管１５ｃ）の内径よりも小さく形成されている。したがって、主流路１５ｅの内周面と、流体供給管１８の外周面との間には、環状の隙間が形成されている。
【００４１】
流体供給管１８の先端部は、吐出路１５ｄ（内管１９）の基端部と、液体供給口１５ｆの開口縁部の最先端部との間の領域Ｌに配置されている。つまり、流体供給管１８の先端部は、吐出路１５ｄよりも基端側で液体供給口１５ｆよりも先端側に配置されている。
本実施形態では、流体供給管１８の先端部が吐出路１５ｄと液体供給口１５ｆとの間の領域Ｌの中間部に配置されているが、流体供給管１８の先端部を領域Ｌの中間部よりも先端側または基端側に配置してもよい。
【００４２】
排出路１６は、左側壁４０の内面４１に開口した排出口１６ａと、排出口１６ａに連通する排出穴１６ｂと、左側壁４０の外面に設けられた排出管１６ｃと、によって構成されている。
【００４３】
排出口１６ａは、左側壁４０の内面４１に開口している。排出口１６ａは、円形の開口部である（図１参照）。排出口１６ａは、左側壁４０の内面４１の下部に配置されている。また、排出口１６ａは、左側壁４０の内面４１の前後方向の中央部に配置されている（図１参照）。
排出穴１６ｂは、排出口１６ａに連通する円形の穴であり、左側壁４０を左右方向に貫通している。
【００４４】
排出管１６ｃの先端部は、左側壁４０の外面に取り付けられており、排出管１６ｃは排出穴１６ｂに連通している。排出管１６ｃの基端部は、次の工程（例えば、曝気槽や調整槽などの外槽）への配管に連結されている。そして、貯留室１０内の処理水は、排出口１６ａから排出穴１６ｂおよび排出管１６ｃを通じて、次の工程に送られる。
【００４５】
本実施形態の注入口１５ａおよび排出口１６ａは、左側壁４０の内面４１の上下方向の中央部（境界線Ｌ１）よりも下方に配置されている。また、注入口１５ａおよび排出口１６ａは、左側壁４０の内面４１の下半分の上下方向の中央部（境界線Ｌ２）を挟んで配置されている。注入口１５ａは、排出口１６ａの上方に配置されている。
【００４６】
次に、本実施形態の混合装置１Ａを用いて、被処理水と酸素とを混合する処理について説明する。
まず、図２に示すように、液体供給装置（図示せず）から液体供給管１７に被処理水を供給するとともに、流体供給装置（図示せず）から流体供給管１８に高濃度の酸素を供給する。
【００４７】
液体供給装置から液体供給管１７に供給された被処理水は、液体供給口１５ｆから主流路１５ｅ内に供給され、流体供給管１８の周囲を主流路１５ｅの先端側に向けて流れる。そして、被処理水は、吐出路１５ｄを通過して注入口１５ａから貯留室１０内に注入される。
【００４８】
流体供給装置から流体供給管１８に供給された酸素は、流体供給管１８の先端部から主流路１５ｅ内に注入される。そして、酸素は、被処理水とともに、吐出路１５ｄを通過して注入口１５ａから貯留室１０内に注入される。
【００４９】
注入口１５ａから貯留室１０内に被処理水および酸素を注入すると、被処理水および酸素は右側壁５０の内面５１に当接して流れが大きく変化する。そして、被処理水および酸素は、貯留室１０内で縦方向に渦流した後に、処理水が左側壁４０の内面４１の排出口１６ａから排出される。
【００５０】
このとき、本実施形態の貯留室１０では、被処理水および酸素によって上側の渦流Ｓ１と下側の渦流Ｓ２とが形成される。
そして、貯留室１０内の被処理水および酸素は、上側の渦流Ｓ１から下側の渦流Ｓ２に流れて、排出口１６ａから排出路１６に排出される。そして、処理水は、排出路１６を通じて、次の工程に送られる。
【００５１】
本実施形態の混合装置１Ａでは、主流路１５ｅよりも吐出路１５ｄが絞られており、被処理水および酸素が吐出路１５ｄを通過するときに、被処理水および酸素の流速が速くなる。
これにより、本実施形態の混合装置１Ａでは、注入路１５に供給する被処理水および酸素の流量を抑えても、吐出路１５ｄから貯留室１０内に注入される被処理水および酸素の流速を速くすることができる。
そして、本実施形態の混合装置１Ａでは、被処理水および酸素を貯留室１０内で大きく渦流させることができ、被処理水および酸素の挙動を大きく乱すことができるため、被処理水と酸素とを良く混ぜることができる。
本実施形態の混合装置１Ａでは、処理水の酸素濃度が高くなるため、活性汚泥による有機物の分解能力を高めることができる。
【００５２】
なお、吐出路１５ｄの軸断面積を主流路１５ｅの軸断面積の７０％に絞った場合には、注入路１５に吐出路１５ｄを形成することなく、注入路１５全体が同じ軸断面積である場合に比べて、被処理水に酸素が溶けた割合を示す酸素溶解効率が約１．６倍に向上した。
【００５３】
本実施形態の混合装置１Ａでは、流体供給管１８が吐出路１５ｄに挿入されておらず、流体供給管１８によって吐出路１５ｄ内の空間が減少するのを防ぐことができる。これにより、貯留室１０内を被処理水および酸素で満たすために十分な流量の被処理水および酸素を吐出路１５ｄから貯留室１０内に注入することができる。
また、流体供給管１８の先端部は、液体供給口１５ｆよりも下流側に配置されるため、流体供給管１８の先端部から注入された酸素が液体供給口１５ｆからの被処理水の流れに妨げられるのを防ぐことができる。これにより、流体供給管１８の先端部から酸素を一定の流量で連続して主流路１５ｅ内に供給することができる。
したがって、本実施形態の混合装置１Ａでは、貯留室１０内を被処理水および酸素で確実に満たして渦流を生じさせるとともに、貯留室１０内に酸素を安定して注入することができるため、被処理水と酸素とを良く混ぜることができる。
【００５４】
なお、本実施形態の混合装置１Ａのように、流体供給管１８の先端部を吐出路１５ｄと液体供給口１５ｆとの間に配置した場合には、流体供給管１８の先端部を吐出路１５ｄ内に挿入した場合に比べて、酸素溶解効率が約１．６倍に向上した。
また、本実施形態の混合装置１Ａのように、流体供給管１８の先端部を吐出路１５ｄと液体供給口１５ｆとの間に配置した場合には、流体供給管１８の先端部を液体供給口１５ｆに対峙する位置に配置した場合に比べて、酸素溶解効率が約１．６倍に向上した。
【００５５】
以上のような本実施形態の混合装置１Ａでは、貯留室１０内に注入する被処理水および酸素の流量を抑えても、貯留室１０内において被処理水および酸素の挙動が大きく乱れる。そのため、本実施形態の混合装置１Ａでは、被処理水と酸素とを良く混ぜることができ、汚水処理を省エネルギー化することができる。
【００５６】
以上、本発明の実施形態について説明したが、本発明は前記実施形態に限定されることなく、その趣旨を逸脱しない範囲で適宜に変更が可能である。
本実施形態では、図１に示すように、汚水処理に用いた混合装置１Ａについて説明したが、本発明の混合装置を用いて混合可能な液体および流体の種類は限定されるものではない。例えば、液体に他の液体を混合してもよい。
【００５７】
本実施形態の混合装置１Ａにおいて、貯留室１０の形状や大きさは限定されるものではなく、要求される処理能力に応じて適宜に設定される。また、注入路１５および排出路１６の断面形状や大きさも限定されるものではなく、例えば、軸断面が四角形や楕円形に形成されていてもよい。
【００５８】
本実施形態の混合装置１Ａでは、図２に示すように、注入路１５に内管１９を嵌め込むことで、吐出路１５ｄが形成されているが、吐出路１５ｄの構成は限定されるものではなく、例えば、注入路１５自体を縮径することで吐出路１５ｄを形成してもよい。また、貯留室１０側の端部に向かうにつれて注入路１５を漸次縮径してもよい。
【００５９】
本実施形態の混合装置１Ａでは、図１に示すように、注入口１５ａおよび排出口１６ａを左側壁４０の内面４１に配置しているが、注入口１５ａおよび排出口１６ａの位置は限定されるものではない。例えば、注入口１５ａおよび排出口１６ａを右側壁５０の内面５１、前壁６０の内面６１または後壁７０の内面７１に配置してもよい。また、注入口１５ａおよび排出口１６ａを頂板２０の内面２１に配置してもよい。
【００６０】
また、本実施形態の混合装置１Ａでは、注入口１５ａおよび排出口１６ａを同じ内面４１に配置しているが、注入口１５ａと排出口１６ａとを異なる内面に配置してもよい。この場合には、排出口１６ａを貯留室１０の内面において、注入口１５ａが開口している内面に対峙する内面以外の内面に開口させることが好ましい。
【産業上の利用可能性】
【００６１】
本発明の混合装置によれば、例えば、ビルの地下に設けられたビルピット、マンホールや工場などの排水（用水）施設に設置することが可能である。また、微細気泡化を活用する分野では、例えば水産物・農畜産物の成長促進や鮮度保持、食品の風味・食感の改質、精密機械・電子部品の洗浄や剥離、医療・医薬品、化粧品などの各種用途において好適に利用することができる。
【符号の説明】
【００６２】
１Ａ    混合装置
２Ａ    処理槽
１０    貯留室
１５    注入路
１５ａ  注入口
１５ｂ  注入穴
１５ｃ  注入管
１５ｄ  吐出路
１５ｅ  主流路
１５ｆ  液体供給口
１６    排出路
１６ａ  排出口
１６ｂ  排出穴
１６ｃ  排出管
１７    液体供給管
１８    流体供給管
１９    内管
２０    頂板
３０    底板
４０    左側壁
５０    右側壁
６０    前壁
７０    後壁
８０    胴部
【図１】
2019107583.tif 000003
【図２】
2019107583.tif 000004